(57)【要約】【課題】良好な演奏操作性を確保しつつ全体を小型化する。【解決手段】蓋兼スタンド３は、下ケース２の底板２ａにおいて回動軸部４を中心に回動自在に取り付けられる。使用時には、蓋兼スタンド３の立設状態で本楽器を設置面Ｇに載置すると、蓋兼スタンド３が脚体として機能し、本楽器が下ケース２の当接面２ｂと蓋兼スタンド３とで支持され、演奏操作に適するように、白鍵ＷＫの上面ＷＫａが設置面Ｇに対して略水平になる。接続コード５は、収納部ＳＰから間隙ＣＡを通じて引き出される。非使用時には、蓋兼スタンド３を横設状態にすると、蓋兼スタンド３の外側面３ａ２が底板２ａの下面２ａ２と略面一になって、使用時に比し、楽器後部が蓋兼スタンド３の長さ分だけ低くなる。接続コード５は、収納部ＳＰに収容され、その際、蓋兼スタンド３が収納部ＳＰの蓋体として機能する。【選択図】　　図２
2004109470.tif 000002
【特許請求の範囲】
【請求項１】
押鍵操作される複数の鍵が配設された鍵盤部と、
少なくとも前記鍵盤部の下方を覆うと共に該鍵盤部を保持するケース体と、
前記鍵盤部後部の下方において前記ケース体に設けられ、前記ケース体の底板に対して横設及び立設自在に構成されたスタンド部材とを有し、
前記スタンド部材の横設状態では、該スタンド部材が前記ケース体の前記底板と略面一になると共に、前記スタンド部材の立設状態で設置面に設置されたときは、前記鍵盤部が演奏に適した角度になるように構成されたことを特徴とする鍵盤楽器。
【請求項２】
押鍵操作される複数の鍵が配設された鍵盤部と、
少なくとも前記鍵盤部の下方を覆うと共に該鍵盤部を保持するケース体と、
前記鍵盤部後部の下方において前記ケース体に設けられ、前記ケース体の底板に対して横設及び立設自在に構成された板状のスタンド部材とを有し、
前記スタンド部材の横設状態では、前記鍵盤部後部の下方に収容スペースが形成され、前記スタンド部材が前記収容スペースの蓋体として機能すると共に、前記スタンド部材の立設状態で設置面に設置されたときは、前記鍵盤部が演奏に適した角度になるように構成されたことを特徴とする鍵盤楽器。
【請求項３】
前記収容スペースには、少なくとも外部電源に接続するための接続コードを収容可能であり、前記スタンド部材の立設状態で前記設置面に設置されたときは、前記ケース体と前記スタンド部材と前記設置面との間隙から前記接続コードを引き出せるように構成されたことを特徴とする請求項２記載の鍵盤楽器。
【請求項４】
前記スタンド部材の横設状態では、前記スタンド部材が前記ケース体の前記底板に連接して前記スタンド部材が前記ケース体の前記底板と略面一になることを特徴とする請求項２または３記載の鍵盤楽器。
【発明の詳細な説明】
【０００１】
【発明の属する技術の分野】
本発明は、押鍵操作される複数の鍵が配設された鍵盤部を有する鍵盤楽器に関する。
【０００２】
【従来の技術】
従来、押鍵操作される複数の鍵が配設された鍵盤部を有する鍵盤楽器は一般に、各鍵が基端部で支持され、押鍵操作によりその先端部が上下方向に回動するように構成される。従って、鍵先端部下方には押鍵ストロークのためのスペースが必要であるが、基端部は上下移動がないため、基端部下方に大きいスペースを必要としない。
【０００３】
【発明が解決しようとする課題】
しかしながら、特に机等に設置して使用可能な鍵盤楽器では、演奏操作に適するように、設置したとき白鍵の上面がほぼ水平になるようになっており、楽器の下ケース下面も白鍵の上面とほぼ平行に設計されるのが通常である。そのため、基端部下方には不要なスペースが生じることが多く、鍵盤楽器全体を小型化する上で改善の余地があった。
【０００４】
ここで、電池で動作可能な楽器では、基端部下方のスペースに電池が収容されるように設計してスペースを有効利用することが行われているが、外部電源に接続コードで接続し、電力を直接取得して動作する楽器や、バッテリパックを内蔵し、接続コードを通じて充電して動作するような楽器においては、そのような有効利用も困難で、しかも近年、電装部品の小型化が進んでいることから、基端部下方のスペースがデッドスペースとなりやすい。
【０００５】
また、非使用時には、外部電源に接続する接続コードや譜面台等の付属品が邪魔になり、整然と処理する上で、上記デッドスペースを有効利用する余地があると考えられる。
【０００６】
本発明は上記従来技術の問題を解決するためになされたものであり、その第１の目的は、良好な演奏操作性を確保しつつ全体を小型化することができる鍵盤楽器を提供することにある。
【０００７】
また、本発明の第２の目的は、簡単な構成で、良好な演奏操作性を確保しつつ、非使用時には付属品等を内部に整然と収納することができる鍵盤楽器を提供することにある。
【０００８】
【課題を解決するための手段】
上記第１の目的を達成するために本発明の請求項１の鍵盤装置は、押鍵操作される複数の鍵が配設された鍵盤部と、少なくとも前記鍵盤部の下方を覆うと共に該鍵盤部を保持するケース体と、前記鍵盤部後部の下方において前記ケース体に設けられ、前記ケース体の底板に対して横設及び立設自在に構成されたスタンド部材とを有し、前記スタンド部材の横設状態では、該スタンド部材が前記ケース体の前記底板と略面一になると共に、前記スタンド部材の立設状態で設置面に設置されたときは、前記鍵盤部が演奏に適した角度になるように構成されたことを特徴とする。
【０００９】
この構成によれば、スタンド部材の横設状態では、スタンド部材がケース体の底板と略面一になり、立設状態で設置面に設置されたときは、鍵盤部が演奏に適した角度になるので、後部における楽器本体の厚みを前部のそれに比し薄く設定でき、非使用時には後部が低くなってコンパクトである一方、使用時にはスタンド部材により鍵盤部後部が持ち上がって演奏が適切に行える。よって、良好な演奏操作性を確保しつつ全体を小型化することができる。
【００１０】
上記第２の目的を達成するために本発明の請求項２の鍵盤装置は、押鍵操作される複数の鍵が配設された鍵盤部と、少なくとも前記鍵盤部の下方を覆うと共に該鍵盤部を保持するケース体と、前記鍵盤部後部の下方において前記ケース体に設けられ、前記ケース体の底板に対して横設及び立設自在に構成された板状のスタンド部材とを有し、前記スタンド部材の横設状態では、前記鍵盤部後部の下方に収容スペースが形成され、前記スタンド部材が前記収容スペースの蓋体として機能すると共に、前記スタンド部材の立設状態で設置面に設置されたときは、前記鍵盤部が演奏に適した角度になるように構成されたことを特徴とする。
【００１１】
この構成によれば、スタンド部材の横設状態では、鍵盤部後部の下方に収容スペースが形成され、スタンド部材が収容スペースの蓋体として機能するので、構成を複雑化することなく、非使用時には付属品等が整然と収納される。また、スタンド部材の立設状態で設置面に設置されたときは、鍵盤部が演奏に適した角度になるので、演奏が適切に行える。よって、簡単な構成で、良好な演奏操作性を確保しつつ、非使用時には付属品等を内部に整然と収納することができる。
【００１２】
【発明の実施の形態】
以下、本発明の実施の形態を図面を参照して説明する。
【００１３】
図１は、本発明の一実施の形態に係る鍵盤楽器の外観図である。図２は、図１のＡ−Ａ線に沿う断面図である。図３は、図２に対応する断面図である。
【００１４】
本楽器は、後述するように、横設及び立設自在な蓋兼スタンド３を備え、蓋兼スタンド３は、横設状態では、本楽器の底部において収納部ＳＰの蓋体として機能すると共に、立設状態では本楽器後部を支持する脚体として機能する。図１、図２では、蓋兼スタンド３の立設状態、すなわち、演奏を行える使用時の状態が示されている。図３では、蓋兼スタンド３の横設状態、すなわち、演奏を行わない非使用時の状態が示されている。なお、以降、本楽器の奏者側を「前方」と呼称する。
【００１５】
本楽器は、下ケース２に鍵盤部ＫＢを収納保持させ、下ケース２に上ケース１を接合して構成される。鍵盤部ＫＢは、例えば、２つの白鍵ユニットと１つの黒鍵ユニットとを１オクターブ分積層して成る３層構造の鍵盤ユニットを複数連設して成る。鍵盤部ＫＢは、その基端部ＫＢａが下ケース２の底板２ａの後部に対して固定的に配設される。各白鍵ＷＫ及び各黒鍵ＢＫは、基端部ＫＢａを回動支点としてヒンジ部ＫＢｂを介して上下方向に回動自在になっている。各白鍵ＷＫの下面には、アクチュエータＷＫｂが設けられる。
【００１６】
下ケース２の底板２ａの前部寄りには基板８が固定的に設けられ、基板８には押鍵検出スイッチ７が設けられる。押鍵検出スイッチ７は、各白鍵ＷＫ及び各黒鍵ＢＫに対応して配設され、各白鍵ＷＫのアクチュエータＷＫｂ等によって押下されて、押鍵動作が検出される。各黒鍵ＢＫのアクチュエータについても図示はしないが同様に構成される。また、上ケース１には、不図示の操作子群が設けられる。
【００１７】
本楽器は、商用電源等の外部電源によって動作し、外部電源に接続するための接続コード５を有する。鍵盤部ＫＢの後部ＫＢｃの下方には隔離板６が設けられている。隔離板６の下方には空間である収納部ＳＰが形成される。隔離板６の所定の箇所を通じて楽器内部から収納部ＳＰ内に接続コード５が延設されている。この収納部ＳＰは接続コード５を収容するに十分な大きさを有する。
【００１８】
蓋兼スタンド３は、下ケース２の底板２ａに設けられている。蓋兼スタンド３は、底板２ａに回動軸部４を中心に図２の時計方向及び反時計方向に回動自在に取り付けられている。蓋兼スタンド３の立設状態で本楽器を設置面Ｇに載置すると、図２に示すように、蓋兼スタンド３が設置面Ｇに対してほぼ垂直になる。このとき、蓋兼スタンド３は、回動軸部４に設けた不図示のロック機構により、同図に示す回動位置で安定的に姿勢が維持される。この状態では、本楽器は、下ケース２の前部における当接面２ｂと蓋兼スタンド３の自由端部３ａとで設置面Ｇに接し、支持される。しかもこのとき、鍵盤部ＫＢの角度が、演奏操作に適するような角度になるようになっており、例えば、白鍵ＷＫの上面ＷＫａが設置面Ｇに対して略水平になる。
【００１９】
なお、演奏操作に適するような角度になるものは、図２に示すように白鍵ＷＫが非押鍵時に水平になるものだけでなく、白鍵ＷＫまたは黒鍵ＢＫのいずれかが非押鍵時、押鍵途中または押鍵終了時（押し切り時）に水平になるものも含まれる。そして、白鍵ＷＫの上面ＷＫａが水平になったとき、「Ｄ」で示す幅を有する蓋兼スタンド３の自由端部３ａにて、楽器が安定して保持される。
【００２０】
また、この状態では、蓋兼スタンド３の左右両側２箇所において、ケース体２と蓋兼スタンド３と設置面Ｇとの間に間隙ＣＡ（図１に左側のみ図示）が形成されるので、接続コード５を、収納部ＳＰから間隙ＣＡを通じて引き出し、不図示の外部電源に接続することができる。
【００２１】
非使用時には、図３に示すように、蓋兼スタンド３を下ケース２側に回動させて横設状態にする。すると、下ケース２の底板２ａのストッパ部２ａ１に蓋兼スタンド３の当接部３ａ１が当接し、蓋兼スタンド３が下ケース２の底板２ａに連接した状態となって、蓋兼スタンド３の外側面３ａ２が底板２ａの下面２ａ２と略面一になる。従って、この状態で本楽器を設置面Ｇに載置すると、蓋兼スタンド３の外側面３ａ２及び下ケース２の底板２ａの下面２ａ２が設置面Ｇに当接する。
【００２２】
これにより、使用時に比し、楽器後部が蓋兼スタンド３の長さ分だけ低くなるので、コンパクトになって収納や運搬に便利である。すなわち、一般的な鍵盤楽器では、楽器は前後に亘ってほぼ同じ厚みに構成されるが、本実施の形態に係る楽器では、鍵ＷＫ、ＢＫの押鍵ストローク確保の必要のある前部よりその必要のない後部の方が蓋兼スタンド３の長さ分だけ厚みが薄くなっているので、非使用時に全体を小型化することができる。なお、効率良く楽器を小型化する観点からは、楽器後部の厚み、すなわち、下ケース２と上ケース１を合わせた後部の厚みを、鍵盤部ＫＢの基端部ＫＢａの厚み相当に極力薄く設定するのが好ましい。
【００２３】
なお、上記ロック機構の代わりに、図２、図３に想像線で示す人の字状の圧縮バネＣの両端部を、楽器の左右２箇所程度において、蓋兼スタンド３の自由端部３ａと底板２ａのストッパ部２ａ１の各所定位置に保持させるように設け、このバネＣの反力で蓋兼スタンド３が図２の時計方向に常に付勢されるようにすると共に、蓋兼スタンド３については、同図に示す回動位置が時計方向の回動終了位置となるように構成することで、蓋兼スタンド３を同図に示す回動位置で安定的に立設させるようにしてもよい。
【００２４】
また、蓋兼スタンド３を横設させた状態では、蓋兼スタンド３は収納部ＳＰの蓋体としても機能する。従って、非使用時には、接続コード５を収納部ＳＰ内に収納してから蓋兼スタンド３を閉じる（横設させる）ことで、接続コード５が整然と収納される。また、蓋兼スタンド３は次のようにして下ケース２の底板２ａにロックされる。
【００２５】
図４（ａ）は、本鍵盤楽器の底面図、同図（ｂ）は係止部の部分外観図である。同図（ａ）に示すように、蓋兼スタンド３の自由端部３ａの例えば２箇所に係止部１０が設けられる。係止部１０は、同図（ｂ）に示すように、つまみ部１１を手で回転させることで、それに連動して爪部１２が回転するようになっている。下ケース２の底板２ａのストッパ部２ａ１には、爪部１２に対応する不図示の凹部が設けられており、蓋兼スタンド３を閉じて上記凹部に爪部１２が嵌入することで、図３に示すように、蓋兼スタンド３がその位置で安定して留まる。このようにして、蓋兼スタンド３が下ケース２の底板２ａにロックされる。蓋兼スタンド３を開くときはその逆を行う。
【００２６】
本実施の形態によれば、使用時には、蓋兼スタンド３を立設することで、鍵盤部ＫＢの後部ＫＢｃが持ち上がって鍵盤部ＫＢが演奏に適した角度になり、良好な演奏操作性が確保される。一方、後部における楽器本体の厚みを前部のそれに比し薄く設定し、非使用時には、蓋兼スタンド３を横設することで、蓋兼スタンド３がケース体２の底板２ａに連接して蓋兼スタンド３の外側面３ａ２が底板２ａの下面２ａ２と略面一になり、楽器後部が低くなってコンパクトになる。また、蓋兼スタンド３の横設状態では、蓋兼スタンド３が、鍵盤部ＫＢの後部ＫＢｃの下方に形成される収納部ＳＰの蓋体として機能するので、非使用時には接続コード５が内部に整然と収納され、デッドスペースがほとんど生じないだけでなく、蓋兼スタンド３が、脚体及び蓋体を兼ねることで、構成が複雑化することもない。よって、簡単な構成で、良好な演奏操作性を確保しつつ全体を小型化すると共に、非使用時には接続コードを内部に整然と収納して処理を容易にすることができる。
【００２７】
また、使用時には、蓋兼スタンド３を外部電源に接続するために、蓋兼スタンド３を立設すれば自然に生じる間隙ＣＡを通じて蓋兼スタンド３を引き出すようにしたので、簡単な構成で、外部電源との接続を確保することができる。
【００２８】
なお、本実施の形態では、蓋兼スタンド３を回動自在に設けたが、立設状態と横設状態との２通りに姿勢を変化可能であれば、回動する構成に限定されない。
【００２９】
なお、収納部ＳＰには接続コード５が収納されるとしたが、これ以外にも、例えば、他の接続コードや譜面台等の各種付属品を収納可能に構成してもよい。収納部ＳＰの形状も、収納される付属品に応じて設定すればよい。また、蓋兼スタンド３が全域に亘って蓋体として機能する必要はなく、一部のみが収納部ＳＰの蓋体になるようにしてもよい。
【００３０】
また、収納される接続コードとしては、電力を直接供給するためのコードに限らず、内蔵のバッテリパックを充電するためのものであってもよく、あるいは、本楽器に対して着脱可能なＡ／Ｃアダプタに接続されているコードであってもよい。
【００３１】
なお、接続コード５は外部電源に接続されるとしたが、外部電源には、外部バッテリも含まれる。
【００３２】
なお、演奏操作性の確保と小型化の観点に限っていえば、蓋兼スタンド３が蓋体を兼ねるように構成しなくてもよい。例えば、使用時は脚体となって鍵盤部ＫＢの後部ＫＢｃを高くし、非使用時は横設状態となって下ケース２の底板２ａの一部を構成するようにして、楽器全体がコンパクトになるように構成してもよい。
【００３３】
【発明の効果】
以上説明したように、本発明の請求項１に係る鍵盤楽器によれば、良好な演奏操作性を確保しつつ全体を小型化することができる。
【００３４】
本発明の請求項２に係る鍵盤楽器によれば、簡単な構成で、良好な演奏操作性を確保しつつ、非使用時には付属品等を内部に整然と収納することができる。
【図面の簡単な説明】
【図１】本発明の一実施の形態に係る鍵盤楽器の外観図である。
【図２】図１のＡ−Ａ線に沿う蓋兼スタンドの立設状態における断面図である。
【図３】図２に対応する蓋兼スタンドの横設状態における断面図である。
【図４】本鍵盤楽器の底面図（同図（ａ））、係止部の部分外観図（同図（ｂ））である。
【符号の説明】
１　上ケース、　２　下ケース、　２ａ　底板、　３　蓋兼スタンド（スタンド部材）、　４　回動軸部、　５　接続コード、　６　隔離板、　ＷＫ　白鍵、ＢＫ　黒鍵、　ＫＢ　鍵盤部、　ＫＢａ　基端部、　ＫＢｃ　後部、　ＳＰ　収納部（収容スペース）、　Ｇ　設置面、　ＣＡ　間隙
【図１】
2004109470.tif 000003
【図２】
2004109470.tif 000004
【図３】
2004109470.tif 000005
【図４】
2004109470.tif 000006